(57)【要約】      （修正有）【課題】大引ビームと吊り具とを可及的に簡単に連結することを可能にし、しかも連結部品数を著しく低減した床吊支持構造を提供する。【解決手段】コンクリート躯体構造をもつ建築物において、居住空間内を、床スラブ上に設けられる床構造体により、床上空間と、床下空間とに区画し、床構造体は、一平面上に配列される複数本の大引ビーム５−１と、その上に直接又は根太を介して敷設される床板７とより構成して、大引ビーム間に連結アームＲＡ−４を設けこの連結アームの中央部をコンクリート躯体に吊下した吊り具１４により吊支持したことを特徴とする。他に吊り具は室内壁内に内装したこと、大引ビームの側面に支持部材ＴＫを着脱可能に設け、この支持部材に連結アームの端部を着脱可能に連結したこと、大引ビームの下面に連結アームの端部の上面を着脱可能に係合連結又は螺合連結したことを特徴とする。【選択図】図６
0003192134.tif 000002
【実用新案登録請求の範囲】
【請求項１】
コンクリート躯体構造をもつ建築物において、居住空間内を、床スラブ上に設けられる床構造体により、床上空間と、床下空間とに区画し、前記床構造体は、一平面上に配列される複数本の大引ビームと、その上に直接又は根太を介して敷設される床板とより構成して、前記大引ビーム間に連結アームを設けこの連結アームの中央部をコンクリート躯体に吊下した吊り具により吊支持したことを特徴とする床吊支持構造。
【請求項２】
前記吊り具は室内壁内に内装したことを特徴とする請求項１に記載の床吊支持構造。
【請求項３】
前記大引ビームの側面に支持部材を着脱可能に設け、この支持部材に前記連結アームの端部を着脱可能に連結したことを特徴とする請求項１又は請求項２に記載の床吊支持構造。
【請求項４】
前記大引ビームの下面に前記連結アームの端部の上面を着脱可能に係合連結又は螺合連結したことを特徴とする請求項１又は請求項２に記載の床吊支持構造。
【考案の詳細な説明】
【技術分野】
【０００１】本考案は、建築物における床吊支持構造に関するものである。
【背景技術】
【０００２】一般に、マンションなどの集合住宅や複数階層の建築物では、階上の床上に加わる振動衝撃が、床構造体から階下の住空間へと振動騒音となって伝わり、住空間の環境悪化、品質低下などの原因になるため、特に最近では、生活様式の変化により、和室が少なくなり、洋室もカーペット床からフローリング床へと居住者のニーズに変化が見られ、階下の居住空間へ伝わる振動騒音が一層大きくなる傾向があり、その遮音対策が必要である。【０００３】そこで、従来では、遮音対策として、床スラブの厚みを増したり、防音シートやマットを併用したり、床構造体自体を通気性構造や共鳴防止構造等にして遮音効果を得るなどの対策がとられている。
しかしながら、かかる従来の対策では、床は、床支持部材を介して建築物の躯体や骨組みなど建築物の骨格部分に接触した状態で支持されているので、階上の床に加わる衝撃振動が、床支持部材を介して階下の躯体や骨組み部分に直接伝わり、これが階下の居住空間に大きな振動騒音を発生させる原因となっているばかりでなく建築物自体の大幅なコスト高を招く。【０００４】この問題を解決するべく本考案者等は過去に特許文献１〜特許文献３等にて紹介の床吊支持構造を提案した。
しかしこの特許文献に記載の床吊支持構造は、床スラブ上空間と、床下空間との間に、一平面上に複数本の大引ビームを配列し、その上に床板を敷設し、前記大引ビームを、天井コンクリート躯体に吊下した複数本の吊り具により直接吊状態で支持し、大引ビームと床スラブやコンクリート躯体との直接の接触を回避するようにしたものである。【０００５】この床吊支持構造により床からの衝撃振動が大引ビームで抑制されて床スラブ上空間で遮音されコンクリート躯体下の居住空間への伝播を可及的に低減することができ、遮音性能を大幅に向上させることができ、また床スラブは、そこに床構造体の荷重がかからないこと、および遮音機能を考慮しないで済むことから、従来のものより薄くすることができ、その分、居住空間の有効高さを高くすることができ、しかも耐震、制震性能を高めることができ、その上、コンクリート躯体の構築コストの低減にも寄与し得ると共に、床スラブ上には、床構造体を支持するための支持部材を特に必要としないので、床下に、障害物の存在しない床下空間を容易に形成することができ、しかも吊り具の長さ調節で、床上空間と床下空間の容積割合を自由に設定することができる。
【先行技術文献】
【特許文献】
【０００６】
【特許文献１】特開２００２−１８０５８６号公報
【特許文献２】特開２００２−３１７５２１号公報
【特許文献３】特開２００３−１５５７９７号公報
【考案の概要】
【考案が解決しようとする課題】
【０００７】  しかしながら、前記大引ビームは、そのそれぞれを直接吊り具によって天井コンクリート躯体に吊下連結するため、その連結施工が煩雑で多くの工数と時間と費用を要する。本考案は、大引ビームと吊り具とを可及的に簡単に連結施工することを可能にし、しかも吊り具と連結部品数を著しく低減した床吊支持構造を提供するものである。
【課題を解決するための手段】
【０００８】  本考案の床吊支持構造の特徴とするところは、次の（１）に記載の通りである。
（１）、コンクリート躯体構造をもつ建築物において、居住空間内を、床スラブ上に設けられる床構造体により、床上空間と、床下空間とに区画し、前記床構造体は、一平面上に配列される複数本の大引ビームと、その上に直接又は根太を介して敷設される床板とより構成して、前記大引ビーム間に連結アームを設けこの連結アームの中央部をコンクリート躯体に吊下した吊り具により吊支持したことを特徴とする床吊支持構造。
（２）、前記吊り具は室内壁内に内装したことを特徴とする前記（１）の床吊支持構造。
（３）、前記大引ビームの側面に支持部材を着脱可能に設け、この支持部材に前記連結アームの端部を着脱可能に連結したことを特徴とする前記（１）又は（２）に記載の床吊支持構造。
（４）、前記大引ビームの下面に前記連結アームの端部の上面を着脱可能に係合連結又は螺合連結したことを特徴とする前記（１）又は（２）に記載の床吊支持構造。
【考案の効果】
【０００９】  以上のように、考案は、従来の特許文献１に記載の床吊支持構造の有する作用効果を堅持して、その上で吊り具による大引ビームの吊支持は、前記連結アームにより大引ビームを吊り連結支持して、吊り具の使用本数を半減させる。そして大引ビームと連結アームとの連結は、大引ビームの側面に例えばネジ連結した支持部材に、前記連結アームの端部を例えば下方から当接して係合連結するかネジ連結して、或いは大引ビームの下面に連結アームの端部下面を係合連結するかネジ連結するのみで、ワンタッチ的に可及的に迅速簡単に大引ビームを吊連結することを可能にしたものである。
【図面の簡単な説明】
【００１０】
【図１】集合住宅の一部の縦断面図であり、図２の矢視Ａ−Ａからの縦断面図。
【図２】図１のＢ−Ｂからの横断面図
【図３】本考案の実施例１を示すもので、図１の矢視Ｃ−Ｃからの側断面説明図であり、分り易いように多少大きめに表現してある。同図には矢視Ｙ１−Ｙ１からの横断面図を併記してある。
【図４】本考案の実施例２を示す側断面説明図である。同図には矢視Ｙ２−Ｙ２からの横断面図を併記してある。
【図５】本考案の実施例３を示す側断面説明図である。同図には矢視Ｙ３−Ｙ３からの横断面図を併記してある。
【図６】本考案の実施例４を示す側断面説明図である。同図には矢視Ｙ４−Ｙ４からの横断面図を併記してある。
【図７】本考案の実施例５を示す側断面説明図である。同図には矢視Ｙ５−Ｙ５からの横断面図を併記してある。
【図８】本考案の実施例６を示す側断面説明図である。同図には矢視Ｙ６−Ｙ６からの横断面図を併記してある。
【図９】本考案の実施例７を示す側断面説明図である。同図には矢視Ｙ７−Ｙ７からの横断面図を併記してある。
【考案を実施するための形態】
【００１１】以下、本考案の実施の形態を、添付図面に示した本考案の各実施例に基づいて説明する。
【実施例１】
【００１２】図１〜図４により、本考案の実施例１について説明する。
実施例１は、本考案床吊支持構造を、正梁構造のコンクリート躯体を備えた集合住宅に実施した場合であり、図１は、集合住宅の一部の縦断面図、図２は、図１の２−２線に沿う横断面図、図３は、図１の３矢視の仮想線囲い部分の拡大図、図４は、図３の４−４線に沿う側面拡大断面図である。【００１３】図１と図２において、集合住宅の骨格を構成する、正梁構造のコンクリート躯体Ｆは、水平方向に延びて、建築物を複数の階層、すなわち一階層Ｃ１、二階層Ｃ２、三階層Ｃ３・・・に区画する水平躯体部分Ｆｈと、鉛直方向に延びて上下の水平躯体部分Ｆｈを相互に連結する鉛直躯体部分Ｆｖとを備えている。【００１４】前記水平躯体部分Ｆｈは、居住空間Ｄｗを上下に仕切る床スラブＳｆ（本考案の特徴により従来のものよりも可及的に薄くすることが可能）を備え、この床スラブＳｆの左右両側には正大梁Ｂｂが、またその中間部には正小梁Ｂｓが下向きに一体に突設されて、所謂「正梁構造」に構成されている。また、前記鉛直躯体部分Ｆｖは、居住空間Ｄｗの四隅に立設される躯体柱１と、並列する躯体柱１間を連結する躯体壁２，３とを備えている。【００１５】前記床構造体Ｆｒは各階層とも同じ構造を備えているので、二階層Ｃ２の床構造体Ｆｒについて説明する。この床構造体Ｆｒはコンクリート躯体Ｆに、浮動状、すなわちフローティング支持されていて、そのコンクリート躯体Ｆとの接触を回避している。【００１６】コンクリート躯体Ｆの床スラブＳｆ上には、前記床下空間Ｓｄをあけて複数本の大引ビーム５が、一平面上で互いに平行に並列され、それらの大引ビーム５は、後述の連結アームを介して後に述べる複数本の吊り具４により正小梁Ｂｓに吊下される。複数本の各大引ビーム５上には緩衝ゴム等を介して、複数本の根太６が相互に平行に敷設され、さらにそれらの根太６上に、床板７が敷設される。【００１７】前記大引ビーム５は、鋼板を横断面が略Σ状に屈曲形成して構成され、十分な剛性を確保しながら軽量に形成されており、また前記根太６は、木製などの角柱材により形成されている。大引ビーム５は、この例に限らず他の横断面Ｉ型、□型、Ｚ型、］型等の公知の大引ビームでよい。【００１８】前記複数本の大引ビーム５は、床スラブＳｆとの接触を回避すべく、床スラブＳｆに浮動状、すなわちフローティング支持される。【００１９】複数本の大引ビーム５は、正小梁Ｂｓに懸吊される複数本の吊り具、すなわち吊り具１４により支持される。これら吊り具１４は壁板２３ａと２３ｂ間に収容され、居住空間側から見えることがない。
以下に、吊り具１４による大引ビーム５の吊下構造を、図３，４を参照して二階層Ｃ２を選択してさらに詳しく説明する。【００２０】図３において、二階層Ｃ２の天井部の正小梁Ｂｓに、その長手方向に間隔をあけて複数本の吊り具１４が垂下されている。
吊り具１４は、上端に正小梁Ｂｓに埋設されるホールインアンカー１８に垂下され、ホールインアンカー１８に連結する取り付け金物Ｆ１に、ワイヤロープＦ２、フックＦ３、クロスバックルＦ４、フックＦ５、ワイヤロープＦ６、フックＦ７を順次連結介して連結アームＲＡ−１に着脱可能に連結する。クロスバックルＦ４は吊り具１４による連結アームＲＡ−１の吊高さ調節具である。
吊り具１４の下端のフックＦ７は連結アームＲＡ−１の中央部に緩衝体を貫通して、その下端にナット２１が螺合連結される。
大引ビーム５は、一例として、断面Σ状、具体的には、断面鳩尾状に屈曲形成される上下端部５ａ，５ｂと、それらを連結する鉛直状の中間部５ｃとより構成される。
当該大引ビーム５は、対単位で連結アームＲＡ−１を介して吊り具１４のフックＦ７の下端に螺合連結しクロスバックルＦ４により昇降調節可能に浮吊連結する。【００２１】  図３に示す着脱連結構造は、前記大引ビーム５の鉛直状の中間部５ｃの側面に横断面Ｌ型の支持部材ＴＫをボルトナットＢＮにより螺合連結し、この支持部材ＴＫを横断面凵型の連結アームＲＡ−１の端部内に収容した状態で当接して係合連結し、吊り具１４のクロスバックルＦ４の締めにより連結アームＲＡ−１を介して大引ビーム５を浮吊り連結したものである。
【実施例２】
【００２２】  図４に示す実施例２の着脱連結構造は、前記大引ビーム５の鉛直状の中間部５ｃの側面に、横断面冂型の連結アームＲＡ−２の端部上部を下に直角に曲げ加工し、ここの曲げ部分Ｍ１を前記大引ビーム５の鉛直状の中間部５ｃの側面にボルトナットＢＮにより着脱可能に羅合連結し、吊り具１４のフックＦ７の下端に螺合連結しクロスバックルＦ４により昇降調節可能に浮吊連結する。
【実施例３】
【００２３】  図５に示す実施例３の着脱連結構造は、横断面冂型の連結アームＲＡ−３の端部上部を上に直角に曲げ加工し、この曲げ部Ｍ２を前記大引ビーム５の下端部５ｂの角に位置合わせし着脱可能に係合連結し、吊り具１４のフックＦ７の下端に螺合連結し前記クロスバックルＦ４により昇降調節可能に浮吊連結したものである。
【実施例４】
【００２４】  図６に示す実施例４の着脱連結構造は、横断面Σ型の各大引ビーム５の中間部の両側面に、横断面逆Ｌ型の一対の支持部材ＴＫをボルトナットＢＮにより螺合連結し、この各支持部材ＴＫの下面に緩衝ゴムＫＧを介して、横断面¬型アングルの連結アームＲＡ−４の端部上面を着脱可能に係合連結し、連結アームＲＡ−４の中央部を吊り具１４のフックＦ７の下端に螺合連結し前記クロスバックルＦ４により昇降調節可能に浮吊連結したものである。
【実施例５】
【００２５】  図７に示す実施例５の着脱連結構造は、Σ型に類似の横断面で隣接間同士を対向させた大引ビーム５−１の中間部の各側面に横断面逆Ｌ型の支持部材ＴＫをボルトナットＢＮにより螺合連結し、この各支持部材ＴＫの下面に緩衝ゴムＫＧを介して、横断面¬型アングルの連結アームＲＡ−４の端部上面を着脱可能に係合連結し、連結アームＲＡ−４の中央部を吊り具１４のフックＦ７の下端に螺合連結し前記クロスバックルＦ４により昇降調節可能に浮吊連結したものである。
【実施例６】
【００２６】  図８に示す実施例６の着脱連結方法は、実施例５と同様のΣ型に類似の横断面の各大引ビーム５−１の下端面に渡し座台ＺＡの座面ＺＡ１に緩衝ゴムＫＧを介して載せて支持し、渡し座台ＺＡの両端アームＺＡ２の各下面に緩衝ゴムＫＧを介して横断面¬型アングルの連結アームＲＡ−４の端部上面を着脱可能に係合連結し、連結アームＲＡ−４の中央部を吊り具１４のフックＦ７の下端に螺合連結し前記クロスバックルＦ４により昇降調節可能に浮吊連結したものである。
【実施例７】
【００２７】  図９に示す実施例７の着脱連結構造は、横断面長□型の各大引ビーム５−２の中間部の両側面に、横断面逆Ｌ型の一対の支持部材ＴＫをボルトナットＢＮ−１により螺合連結し、この各支持部材ＴＫの下面に緩衝ゴムＫＧを介して、横断面¬型アングルの連結アームＲＡ−４の端部上面を着脱可能に係合連結し、連結アームＲＡ−４の中央部を吊り具１４のフックＦ７の下端に螺合連結し前記クロスバックルＦ４により昇降調節可能に浮吊連結したものである。【００２８】以上、本考案の実施例について説明したが、本考案はその実施例に限定されることなく、本考案の範囲内で種々の実施例が可能である。たとえば、前記実施例の防振ゴムなどの防振緩衝材を省略してもよい。さらにまた、床構造体の床の支持部材として、大引ビーム、根太の外、公知の支持部材の使用が可能であり、床構造体の床板として、フローリング床、畳床、その他の公知のものの使用が可能である。
【産業上の利用可能性】
【００２９】本考案は前述のように効果を呈するため、住宅建築産業界に貢献すること多大なものがある。
【符号の説明】
【００３０】５：大引ビーム
６：根太
７：床板
１４：吊り具
Ｆ１：取り付け金物
Ｆ２，Ｆ６：ワイヤロープ
Ｆ３，Ｆ５，Ｆ７：フック
Ｆ４：クロスバックル
ＲＡ−１〜ＲＡ−３：連結アーム
ＴＫ：Ｌ型の支持部材
ＢＮ：ボルトナット
１８：ホールアンカー
２３ａ，２３ｂ：仕切り壁板
Ｂｓ：正小梁
Ｓｆ：床スラブ
Ｄｗ：居住空間
Ｆ：コンクリート躯体
【図１】
0003192134.tif 000003
【図２】
0003192134.tif 000004
【図３】
0003192134.tif 000005
【図４】
0003192134.tif 000006
【図５】
0003192134.tif 000007
【図６】
0003192134.tif 000008
【図７】
0003192134.tif 000009
【図８】
0003192134.tif 000010
【図９】
0003192134.tif 000011